(57)【特許請求の範囲】
【請求項１】
動物を出し入れするための開口部を有する枠部と前記枠部に一端が回動可能に支持され前記開口部を開閉するための扉部とを側面または上面に備えた動物用ケージであって、
前記枠部および前記扉部のいずれか一方に扉ロックと他方の前記枠部または前記扉部に係合部とが設けられており、
前記扉ロックは、
前記扉部が備えられた面に沿って往復動可能に形成され前記係合部と係合して前記扉部が開となるのを阻止するためのロック部と、
前記扉部が備えられた面に沿ってかつ前記ロック部の往復動方向に略直交する方向に往復動可能な補助ロック部と、を有し、
前記補助ロック部が一方の往復動端側にあるときに前記ロック部の往復動路の一部を塞いで前記ロック部の移動を制限し前記扉部の閉状態を維持するように、かつ、前記補助ロック部が他方の往復動端側にあるときに前記ロック部の移動を許容して前記扉部を開にすることが可能なように構成されてなる、
ことを特徴とする動物用ケージ。
【請求項２】
前記扉ロックが前記扉部に設けられ、
前記係合部が前記枠部に設けられた
請求項１に記載の動物用ケージ。
【請求項３】
前記補助ロック部は前記一方の往復動端側にあるときに外方に突出する突出部を有し、
前記枠部には前記突出部が嵌り込む嵌入部が設けられた
請求項２に記載の動物用ケージ。
【請求項４】
前記ロック部が前記補助ロック部を挟んで２つ設けられ、互いに離れる方向に付勢されてなる、
請求項１ないし３のいずれかに記載の動物用ケージ。
【発明の詳細な説明】
【技術分野】
【０００１】
本発明は、扉のロック機構を有する動物用ケージに関する。
【背景技術】
【０００２】
近年、動物を飼うことができるマンションにおける使用や、動物を同伴する旅行に使用するために、持ち運び可能な組み立て式動物用ケージの需要が増加している。そして、組み立て式以外も含めて、動物用ケージの扉をロックするための構成も種々のものが提案されている。
例えば、特許文献１には、扉をロックする位置およびロックを解除される位置でバネの一部が穴に嵌り込んで扉ロック部材の移動を制限するように構成された扉ロック機構が開示されている。
【特許文献１】特開２０００−１２５６８５号
【発明の開示】
【発明が解決しようとする課題】
【０００３】
しかし、引用文献１に開示された扉ロック機構は、バネを穴内に押し戻し扉ロック部材によるロックを解除する動作を両手でしか行えないため、常に、予め扉のロックを解除してから動物用ケージに収容するために動物をとりあげまたは自由を束縛する必要がある。
そうすると、例えば、動物をとりあげるあいだに既に動物用ケージに収容されている動物が扉から逃げ出すおそれがあるという問題がある。
本発明は、上述の問題に鑑みてなされたもので、片手で扉をロックすることができおよびロックの解除を行うことができる動物用ケージを提供することを目的とする。
【課題を解決するための手段】
【０００４】
前記目的を達成するため、本発明においては以下の技術的手段を講じた。
すなわち、本発明に係る動物用ケージは、動物を出し入れするための開口部を有する枠部と前記枠部に一端が回動可能に支持され前記開口部を開閉するための扉部とを側面または上面に備えた動物用ケージであって、前記枠部および前記扉部のいずれか一方に扉ロックと他方の前記枠部または前記扉部に係合部とが設けられており、前記扉ロックは、前記扉部が備えられた面に沿って往復動可能に形成され前記係合部と係合して前記扉部が開となるのを阻止するためのロック部と、前記扉部が備えられた面に沿ってかつ前記ロック部の往復動方向に略直交する方向に往復動可能な補助ロック部と、を有し、前記補助ロック部が一方の往復動端側にあるときに前記ロック部の往復動路の一部を塞いで前記ロック部の移動を制限し前記扉部の閉状態を維持するように、かつ、前記補助ロック部が他方の往復動端側にあるときに前記ロック部の移動を許容して前記扉部を開にすることが可能なように構成されてなる。
【０００５】
本発明によれば、動物用ケージの扉を閉めさらに閉めた状態を維持するようにロックすることができる。そして、このロックおよびロックの解除が扉の開閉とは別個の操作であるため、片手でロックおよび解除を行うことができる。
好ましくは、前記扉ロックが前記扉部に設けられ、前記係合部が前記枠部に設けられる。
このように構成することで開口部を大きくすることができ、動物の収容および取り出しを容易に行うことができる。
【０００６】
また、前記補助ロック部は前記一方の往復動端側にあるときに外方に突出する突出部を有し、前記枠部には前記突出部が嵌り込む嵌入部が設けられた構成とすることができる。このように構成された動物用ケージは、扉のロックを二重に行うことができる。
さらに好ましくは、前記ロック部が前記補助ロック部を挟んで２つ設けられ、互いに離れる方向に付勢されてなる。
本発明によれば、扉を閉じる操作を確実に行うことができる。
【発明の効果】
【０００７】
本発明によると、片手で扉をロックすることができおよびロックの解除を行うことができる動物用ケージを提供することができる。
【発明を実施するための最良の形態】
【０００８】
以下、本発明に係る動物用ケージとして組み立て式動物用ケージにおける実施形態を示して説明する。
図１は本発明に係る組み立て式動物用ケージの正面図、図２は組み立て式動物用ケージの側面図、図３は組み立て式動物用ケージの背面図、図４は組み立て途中の組み立て式動物用ケージの斜視図、図５は折りたたんだ時の組み立て式動物用ケージの斜視図、図６は天部に設けられた凹部の斜視図、図７は係止部材の斜視図、図８は前部網体の枠部の正面図、図９は前部網体の扉部の正面図、図１０は前部網体の部分斜視図、図１１は扉ロックの斜視図、図１２は扉ロックの前部の正面図、図１３は扉ロックの後部の正面図である。
【０００９】
なお、以下の説明において、組み立て式動物用ケージを「動物用ケージ」ということがある。
図１〜５において、組み立て式動物用ケージ１は、底部２、天部３、前部網体４、後部網体５、および側部網体６，７からなる。なお、以下、図１に示される正面および図２の左側を前または前方という。
底部２は、平面視が長方形であってトレーのような形状をしており、四方の縁の内側には、前部網体４、後部網体５、および側部網体６，７の下端を回動可能に支持する下部支持部８ａ，…，８ｄがそれぞれ複数設けられている。
【００１０】
天部３は、底部２と略同じ形状を有しており、底部２を伏せたような状態で底部２の上方に位置する。長辺に該当する縁の内側には、側部網体６，７の上端を回動可能に支持する上部支持部９ａ，…，９ｂがそれぞれ複数設けられている。天部３の側方（図１における左右端）には、それぞれに２つのバックル１０，１０が備えられている。バックル１０，１０は、動物用ケージ１が折りたたまれたときに天部３を底部２に固定するためのものである。天部３の上面には、動物用ケージ１の運搬に便利なように取手１１が取り付けられており、取手１１は倒すことにより上面に設けられた取手凹部１２に収容可能となっている（図４，５）。
【００１１】
天部３には、前後の端のほぼ中央部分に凹部１３，１３が設けられている。図６を参照して、凹部１３は、その側面１４，１４間に、内方に水平面が配された断面Ｌ字形の当接部１５を有する。凹部１３，１３には、動物用ケージ１を組み立てたときに前部網体４および後部網体５の上端を天部３に固定するための係止部材１６，１６が上下動可能に嵌め込まれる。
係止部材１６，１６は、凹部１３，１３内を一定の経路で上下動するように構成され、図７に示されるように、垂直に下方に向かう面で形成された係止部１７を有する。係止部材１６，１６は、凹部１３，１３内において押し下げられたときに、当接部１５に当接する前部網体４または後部網体５の上端を係止部１７が係止して、前部網体４または後部網体５の起立状態を維持することができるように構成されている。
【００１２】
図８，９において、前部網体４は、丸棒により柵状に形成された枠部１８および扉部１９からなる。
以下、図８，９における横方向を横方向または左右といい、縦方向を上下という。
枠部１８は、その下端が下部支持部８ａ，…，８ａにより底部２に回動可能に支持されており、動物用ケージ１の組み立て時にはその上端が係止部材１６によって天部３に係止されて起立状態に維持される。枠部１８は、中央部分が動物用ケージ１内に動物を出し入れするための開口部２０となっており、右端に設けられた扉支持部２１，２１によって開口部２０をふさぐための扉部１９を回動可能に支持する。また、枠部１８の左右の端には、組み立て時に側部網体６，７の被嵌着部５８，…，５８を嵌め込み一体化するための、それぞれ２つのコ字形の嵌着部２２，…，２２を備えている。また、左端には、扉ロック２３の突出部２４と係合して扉部１９が開かないようにロックする補助ロック受け部２５が、丸棒により形成されている（図１０参照）。
【００１３】
扉部１９は、開口部２０を塞いだとき四方すべてにおいて枠部１８と重なり合う部分を有する程度の大きさに形成されている。扉部１９の左端近辺には扉ロック２３が設けられ、扉ロック２３の上方および下方には、ロック棒支持部２６ａ，２６ｂが設けられている。
ロック棒支持部２６ａ，２６ｂは、図１１に示されるように、扉部１９と同一面上の略長方形の支持部分２７ａ，２７ｂと支持部分２７ａ，２７ｂから内方に直角に曲がったロック棒受け部２８ａ，２８ｂとからなる（図１４（ｂ）をも参照）。ロック棒受け部２８ａ，２８ｂには後に説明するロック棒２９ａ，２９ｂが進退可能に貫通する貫通孔３０ａ，３０ｂを有している。ロック棒支持部２６ａは、扉部１９を構成する丸棒３１ａ，３１ｂ，３１ｃにろう付けによって固定されている。
【００１４】
扉ロック２３は前部３２および後部３３からなる。
以下、図１２，１３（ａ）〜（ｃ）における横方向を横方向または左右といい、縦方向を上下というものとする。
前部３２は上下が対称の形状であって、補助ロック部３４、第１誘導部３５、および第２誘導部３６からなる。
補助ロック部３４は、略矩形状のかんぬき部３７とかんぬき部３７から左に突出する略矩形状の突出部２４とからなり、かんぬき部３７および突出部２４の上下の側面にはそれぞれ誘導溝３８，３８，３９，３９が設けられている。
【００１５】
第１誘導部３５にはかんぬき部３７をちょうど収めることができる形状のくぼみである待避部４０が設けられ、待避部４０の上下の側面にはかんぬき部３７の誘導溝３８，３８内に摺動可能に嵌り込む第１凸部４１，４１が左右に設けられている。第２誘導部３６には、突出部２４が嵌り込んで進退可能な溝４２が左右方向に設けられ、溝４２の両側面には、突出部２４の誘導溝３９，３９にちょうど嵌り込む形状の第２凸部４３，４３が左右に設けられている。そして、扉ロック２３においては、かんぬき部３７の誘導溝３８，３８に第１誘導部３５の第１凸部４１，４１を嵌め込み、突出部２４の誘導溝３９，３９に第２誘導部３６の第２凸部４３，４３を嵌め込んで、第１誘導部３５および第２誘導部３６を互いに間隔をあけて後部３３と固定的に一体化される。したがって、補助ロック部３４（かんぬき部３７）は、待避部４０内を左右に往復動可能となっている。
【００１６】
後部３３は、１対のロック部４４ａ，４４ｂ、および本体部４５からなる。
ロック部４４ａ，４４ｂは、背面および下面が開放された中空で全体として略直方体の形状の押入部４６，４６と、押入部４６の上面を貫通して一端が外方におよび他端が内方に延びたロック棒２９ａ，２９ｂからなる。押入部４６は、前面に段差を有し段差部分に被係止面４８が形成されている。ロック棒２９ａ，２９ｂは、押入部４６，４６の内方に突出する部分は短くかつ他の部分に比べ若干細くなっている。
本体部４５は、上下が面対称の形状を有し、押入部４６，４６を収容する収容部４９，４９が上下に配されて設けられている。２つの収容部４９，４９は仕切りにより仕切られ、仕切りの上下には突起５０，５０が設けられている。また、本体部４５の四方周囲の枠には、扉部１９を構成する丸棒を嵌め込むことができる程度の大きさの複数の切り欠き４７，…，４７が設けられている。
【００１７】
押入部４６，４６は、その内方に突出したロック棒２９ａ，２９ｂの端にコイルスプリング５２，５２の一端側を嵌め込み、コイルスプリング５２，５２の他端側を突起５０，５０に嵌め込んで、外方に付勢されるようにして収容部４９，４９内に収容される。
扉ロック２３の扉部１９への取り付けは、収容部４９，４９にロック部４４ａ，４４ｂが収容された本体部４５を扉部１９の背面から近づけながら上下のロック棒２９ａ，２９ｂをそれぞれ貫通孔３０ａ，３０ｂに貫通させる。次に、扉部１９の丸棒をそれぞれに対応する切り欠き４７，…，４７に嵌め込み、扉部１９を両面から挟むようにして前部３２を後部３３に組み合わせる。最後に、後部３３のネジ用穴５３，…，５３にネジを挿入し締め付けて、扉部１９への取り付けを終了する。
【００１８】
後部網体５は丸棒により柵状に形成され、図３に示されるように、左右の端にそれぞれ２つずつのコ字形の嵌着部５４，…，５４を備えている。後部網体５は、その下端が下部支持部８ｂ，…，８ｂにより底部２に回動可能に支持されており、動物用ケージ１の組み立て時にはその上端が係止部材１６によって天部３に係止されて起立状態に維持される。
側部網体６，７は、いずれも丸棒により柵状に形成された２つの網部材５５ａ，５５ｂ，５６ａ，５６ｂが複数の連結部材５７，…，５７により内側に折りたたみ可能に上下に結合されて形成されている。網部材５５ａ，５５ｂ，５６ａ，５６ｂは、前部網体４および後部網体５の嵌着部２２，…，２２，５４，…，５４に嵌着させて動物用ケージ１を組み立てるための、ヘアピン状に内方に曲がる被嵌着部５８，…，５８を備えている（図１０参照）。
【００１９】
底部２および天部３は、合成樹脂により製作される。また、前部網体４、後部網体５、および側部網体６，７を構成する丸棒は、金属材料により製作される。ただし、これらを、他の材料を用いて製作してもよい。
次に、扉ロック３９の操作ついて説明する。
図１４は扉ロック２３により扉部１９がロックされている状態の図、図１５は扉部１９のロックが解除された状態の図である。
動物用ケージ１内に動物を収容し、扉部１９がロックされている状態では、扉ロック２３は、コイルスプリング５２，５２によりロック部４４ａ，４４ｂが外方（各ロック棒支持部２６ａ，２６ｂの方向）に付勢されている。図１のＤＡ１の部分を左側面から見た図１４（ｂ）を参照して、このとき、上側のロック棒２９ａは枠部１８の上方における開口端５９に、下側のロック棒２９ｂは枠部１８の下方における開口端６０に（図８参照）、それぞれ係止されて開口部２０を通過することができず、扉部１９は開けることができない状態に維持される。そして、補助ロック部３４が左側の移動端にあるときは、突出部２４が枠部１８の補助ロック受け部２５に嵌り込み、突出部２４と補助ロック受け部２５との係合によっても扉部１９は開けることができない状態に維持される。つまり、扉ロック２３は、ロック棒２９ａ，２９ｂと突出部２４とにより二重に扉部１９をロックすることができる。
【００２０】
また、補助ロック部３４が左側の移動端にあるときには、かんぬき部３７の上下の側面６１，６１がロック部４４ａ，４４ｂの被係止面４８，４８を係止する。そのため、ロック部４４ａ，４４ｂを互いに近接する方向に押し入れることができないので、例えば、幼い子供などが誤って扉部１９を開けることなどが防止される。
図１５を参照して、扉ロック２３のロックの解除は、先ず、補助ロック部３４を右側の移動端に移動させる。このとき、補助ロック部３４は、かんぬき部３７の誘導溝３８，３８が第１凸部４１，４１に案内されて、および突出部２４の誘導溝３９，３９が第２凸部４３，４３に案内されて（図１０参照）、スムーズに右側の移動端に移動する。そうすると、突出部２４は補助ロック受け部２５から抜き出されてこれらの係合関係が解除されるとともに、かんぬき部３７は待避部４０に嵌り込んで被係止面４８，４８への係止が解除される。そこで、押入部４６，４６を互いに近接する方向に押入すると、図１５（ｂ）に示されるようにロック棒２９ａと枠部１８の開口端５９との係合が解除され、同時にロック棒２９ｂと枠部１８の開口端６０との係合も解除されて、扉部１９を回動させて開くことが可能となる。
【００２１】
扉ロック２３は、補助ロック部３４の移動操作、および押入部４６，４６を互いに近接する方向に押入する操作を、いずれも片手だけで行うことができる。したがって、動き回る動物を捕らえて一方の手で保持し、他方の手だけで扉部１９を開けて動物用ケージ１に動物を収容することが可能である。特に、予め扉部１９を開けておくことができない場合、例えば、既に動物用ケージ１内に動物が収容されており、その中にさらに動物を収容する作業を１人で行う必要があるときには、片手でロックを解除できる扉ロック２３は利便性が高い。
【００２２】
上述の実施形態において、扉ロック２３を、ロック部４４ａ，４４ｂを上側または下側のいずれか１つのみ備えたものとしてもよい。扉部１９のロックを、ロック棒２９ａ，２９ｂを枠部１８の開口端５９，６０に係止させて行う方法の他、種々の方法で行うことができる。動物用ケージ１、扉ロック２３の全体または各部の構成、材質、形状および寸法などは、本発明の趣旨に沿って適宜変更することができる。
【産業上の利用可能性】
【００２３】
本発明は、扉のロック機構を有する動物用ケージに利用することができる。
【図面の簡単な説明】
【００２４】
【図１】本発明に係る動物用ケージの正面図である。
【図２】動物用ケージの側面図である。
【図３】動物用ケージの背面図である。
【図４】組み立て途中の動物用ケージの斜視図である。
【図５】折りたたんだ時の動物用ケージの斜視図である。
【図６】天部に設けられた凹部の斜視図である。
【図７】係止部材の斜視図である。
【図８】前部網体の枠部の正面図である。
【図９】前部網体の扉部の正面図である。
【図１０】前部網体の部分斜視図である。
【図１１】扉ロックの斜視図である。
【図１２】扉ロックの前部の正面図である。
【図１３】扉ロックの後部の正面図である。
【図１４】扉部がロックされている状態の図である。
【図１５】扉部のロックが解除された状態の図である。
【符号の説明】
【００２５】
１  （組み立て式）動物用ケージ
１８  枠部
１９  扉部
２０  開口部
２３  扉ロック
２４  突出部
２５  嵌入部（補助ロック受け部）
３４  補助ロック部
４４ａ，４４ｂ  ロック部
５９  係合部（枠部の上方における開口端）
６０  係合部（枠部の下方における開口端）
【図１】
0004489658.tif 000002
【図２】
0004489658.tif 000003
【図３】
0004489658.tif 000004
【図４】
0004489658.tif 000005
【図５】
0004489658.tif 000006
【図６】
0004489658.tif 000007
【図７】
0004489658.tif 000008
【図８】
0004489658.tif 000009
【図９】
0004489658.tif 000010
【図１０】
0004489658.tif 000011
【図１１】
0004489658.tif 000012
【図１２】
0004489658.tif 000013
【図１３】
0004489658.tif 000014
【図１４】
0004489658.tif 000015
【図１５】
0004489658.tif 000016